(57)【要約】キャビティを定める側部を有する非剛性の容器を含む拭取材の貯蔵及び取り出しパッケージである。幅を有する折り畳み可能で膨らませることが可能なバッフル構造体が、容器の側部内に配置され、キャビティを拭取材の貯蔵部と取り出し部とに分割する。バッフル構造体は、拭取材が通ることができ、取り出し部と連通する取り出しオリフィスを含む。パッケージの端部に再シール可能な機構を含むこともできる。
2004517785.tif 000002
【特許請求の範囲】
【請求項１】
拭取材の貯蔵及び取り出しパッケージであって、
上端部と下端部とを有する側部を含む非剛性の容器を備え、
前記側部と前記上端部と前記下端部とが、前記容器内にキャビティを定め、
前記キャビティが拭取材の貯蔵部を含み、
前記上端部が再シール可能な機構を含み、
幅を有する非剛性のバッフル構造体が前記再シール可能な機構と前記貯蔵部との間に配置され、前記バッフル構造体は、互いに間隔をおいて配置された前記容器の相対向する側にある側部の間に配置され、これにより前記キャビティの前記貯蔵部の上に該キャビティの取り出し部を定めるようになっており、
前記バッフル構造体は、前記拭取材が通ることができ、前記取り出し部と連通する取り出しオリフィスを含むことを特徴とするパッケージ。
【請求項２】
前記バッフル構造体の少なくとも２つの相対向する側にある側部が、互いに間隔をおいて配置された前記容器の相対向する側にある側部のそれぞれに接合され、これにより該バッフル構造体が該容器の前記相対向する側にある側部の間に渡されるようになったことを特徴とする請求項１に記載のパッケージ。
【請求項３】
前記バッフル構造体の相対向する側にある側部の全てが、前記容器の相対向する側にある側部のそれぞれに接合され、これにより該バッフル構造体が該容器の前記相対向する側にある側部の間に渡され、前記取り出しオリフィス以外では前記キャビティの前記貯蔵部を該キャビティの前記取り出し部から完全に分離するようになったことを特徴とする請求項２に記載のパッケージ。
【請求項４】
前記バッフル構造体の相対向する側にある側部の全てが、前記容器の相対向する側にある側部のそれぞれに接合され、これにより該バッフル構造体が該容器の前記相対向する側にある側部の間に渡され、前記キャビティの前記貯蔵部を該キャビティの前記取り出し部から完全に分離するようになったことを特徴とする請求項２に記載のパッケージ。
【請求項５】
前記再シール可能な機構がシール状態で閉じられ、前記下端部が開いていることを特徴とする請求項１に記載のパッケージ。
【請求項６】
拭取材が前記キャビティの前記貯蔵部内に配置され、前記下端部がシール状態で閉じられたことを特徴とする請求項５に記載のパッケージ。
【請求項７】
前記拭取材が前記キャビティの前記貯蔵部内に配置され、前記下端部がシール状態で閉じられたことを特徴とする請求項１に記載のパッケージ。
【請求項８】
前記容器が第１の部品材料で形成され、前記バッフル構造体が前記第１の部品材料と異なる第２の部品材料で形成されたことを特徴とする請求項１に記載のパッケージ。
【請求項９】
前記容器及び前記バッフル構造体が、１つの連続する部品材料で形成されたことを特徴とする請求項１に記載のパッケージ。
【請求項１０】
前記バッフル構造体の中央領域部が、前記キャビティの前記貯蔵部内に配置された状態にある前記拭取材の隣接する表面部にほぼ平行に向けられたことを特徴とする請求項６に記載のパッケージ。
【請求項１１】
前記バッフル構造体の中央領域部が、前記キャビティの前記貯蔵部内に配置された状態にある前記拭取材の隣接する表面部にほぼ平行に向けられたことを特徴とする請求項７に記載のパッケージ。
【請求項１２】
前記取り出しオリフィスが脆いシールを備えることを特徴とする請求項１に記載のパッケージ。
【請求項１３】
前記脆いシールが、前記パッケージのユーザによって最初に開けられるまで閉じていることを特徴とする請求項１２に記載のパッケージ。
【請求項１４】
前記バッフル構造体が、前記容器に対して該容器の長手方向にほとんど又は全く動かないように該容器に接合されたことを特徴とする請求項１に記載のパッケージ。
【請求項１５】
前記バッフル構造体の中央領域部が、前記キャビティの前記貯蔵部内に配置された状態にある前記拭取材の隣接する表面部上にあるように、該バッフル構造体が構成されたことを特徴とする請求項６に記載のパッケージ。
【請求項１６】
前記バッフル構造体の中央領域部が、前記キャビティの前記貯蔵部内に配置された状態にある前記拭取材の隣接する表面部上にあるように、該バッフル構造体が構成されたことを特徴とする請求項７に記載のパッケージ。
【請求項１７】
前記取り出し部は、前記再シール可能な機構がシール状態で閉じられた状態で、前記バッフル構造体と該再シール可能な機構との間に個人的品目をゆるく保持する大きさ及び構成にされたことを特徴とする請求項１に記載のパッケージ。
【請求項１８】
前記取り出し部は、前記上端部及び下端部を通り、前記容器の幅を通る想像面によって定められる横断面形状が、三角形状となり、該取り出し部の前記三角形横断面の底部が前記バッフル構造体に隣接し、該三角形横断面の頂点が該バッフル構造体から離れて位置するように膨らむことができることを特徴とする請求項１に記載のパッケージ。
【請求項１９】
前記バッフル構造体の前記幅が、前記容器の幅と少なくとも同じ大きさであることを特徴とする請求項１に記載のパッケージ。
【請求項２０】
前記バッフル構造体の前記幅が、前記容器の前記幅の少なくとも１．５倍の大きさであることを特徴とする請求項１９に記載のパッケージ。
【請求項２１】
前記バッフル構造体の前記幅が、前記容器の前記幅の少なくとも２倍の大きさであり、該容器の該幅の３倍より大きくないことを特徴とする請求項２０に記載のパッケージ。
【請求項２２】
前記拭取材が加湿拭取材からなることを特徴とする請求項６に記載のパッケージ。
【請求項２３】
前記拭取材が加湿拭取材からなることを特徴とする請求項７に記載のパッケージ。
【請求項２４】
前記取り出しオリフィスが、穴、スリット、及び穴とスリットの組合せからなる群からのものであることを特徴とする請求項１に記載のパッケージ。
【請求項２５】
前記取り出しオリフィスが、該オリフィスに隣接して位置する裂け防止端部を備えることを特徴とする請求項１に記載のパッケージ。
【請求項２６】
前記取り出しオリフィスの長手方向の寸法が、前記拭取材の長さとほぼ平行、該拭取材の長さ方向に対しほぼ垂直、及び該拭取材の長さ方向に対しほぼ対角線状からなる群からのものとなる配置にされるように、該取り出しオリフィスが配向されたことを特徴とする請求項１に記載のパッケージ。
【請求項２７】
前記取り出しオリフィスが、前記容器の中央部、該容器の端部、及び該容器の端部と該容器の中央部の間からなる群からのものとなる位置に、該容器の長手方向軸に対して配置されたことを特徴とする請求項１に記載のパッケージ。
【請求項２８】
拭取材の貯蔵及び取り出しパッケージであって、
内部にキャビティを定める側部を有する非剛性の容器と、
幅を有し、前記容器の前記側部内に配置され、前記キャビティを拭取材の貯蔵部と取り出し部とに分割する、折り畳み可能で膨らませることが可能なバッフル構造体と、
を備え、
前記バッフル構造体は、拭取材が通ることができ前記取り出し部と連通する取り出しオリフィスを含む、
ことを特徴とするパッケージ。
【請求項２９】
前記容器の少なくとも２つの側部に隣接する再シール可能な機構をさらに備えることを特徴とする請求項２８に記載のパッケージ。
【請求項３０】
前記バッフル構造体の少なくとも２つの相対向する側にある側部が、互いに間隔をおいて配置された前記容器の相対向する側にある側部のそれぞれに接合され、これにより該バッフル構造体が該容器の該相対向する側にある側部間に渡されるようになったことを特徴とする請求項２８に記載のパッケージ。
【請求項３１】
前記バッフル構造体の相対向する側にある側部の全てが、前記容器の相対向する側にある側部のそれぞれに接合され、これにより該バッフル構造体が該容器の前記相対向する側にある側部の間に渡され、前記取り出しオリフィス以外では前記キャビティの前記貯蔵部を該キャビティの前記取り出し部から完全に分離するようになったことを特徴とする請求項３０に記載のパッケージ。
【請求項３２】
前記バッフル構造体の相対向する側にある側部の全てが、前記容器の相対向する側にある側部のそれぞれに接合され、これにより該バッフル構造体が該容器の前記相対向する側にある側部の間に渡され、前記キャビティの前記貯蔵部を該キャビティの前記取り出し部から完全に分離するようになったことを特徴とする請求項３０に記載のパッケージ。
【請求項３３】
前記再シール可能な機構がシール状態で閉じられ、前記容器の下端部が開いていることを特徴とする請求項２９に記載のパッケージ。
【請求項３４】
拭取材が前記キャビティの前記貯蔵部内に配置され、前記下端部がシール状態で閉じられたことを特徴とする請求項３３に記載のパッケージ。
【請求項３５】
拭取材が前記キャビティの前記貯蔵部内に配置され、前記容器の下端部がシール状態で閉じられたことを特徴とする請求項２８に記載のパッケージ。
【請求項３６】
前記貯蔵部が第１の部品材料によって少なくとも部分的に囲まれ、前記取り出し部が前記第１の部品材料と異なる第２の部品材料によって少なくとも部分的に囲まれたことを特徴とする請求項２８に記載のパッケージ。
【請求項３７】
前記容器及び前記バッフル構造体が、１つの連続する部品材料で形成されたことを特徴とする請求項２８に記載のパッケージ。
【請求項３８】
前記バッフル構造体の中央領域部が、前記キャビティの前記貯蔵部内に配置された状態にある前記拭取材の隣接する表面部にほぼ平行に向けられたことを特徴とする請求項３４に記載のパッケージ。
【請求項３９】
前記バッフル構造体の中央領域部が、前記キャビティの前記貯蔵部内に配置された状態にある前記拭取材の隣接する表面部にほぼ平行に向けられたことを特徴とする請求項３５に記載のパッケージ。
【請求項４０】
前記取り出しオリフィスが脆いシールを備えることを特徴とする請求項２８に記載のパッケージ。
【請求項４１】
前記脆いシールが、前記パッケージのユーザによって最初に開けられるまで閉じていることを特徴とする請求項４０に記載のパッケージ。
【請求項４２】
前記バッフル構造体が、前記容器に対して該容器の長手方向にほとんど又は全く動かないように該容器に接合されたことを特徴とする請求項２８に記載のパッケージ。
【請求項４３】
前記バッフル構造体の中央領域部が前記キャビティの前記貯蔵部内に配置された状態にある前記拭取材の隣接する表面部上にあるように、該バッフル構造体が構成されたことを特徴とする請求項３４に記載のパッケージ。
【請求項４４】
前記バッフル構造体の中央領域部が前記キャビティの前記貯蔵部内に配置された状態にある前記拭取材の隣接する表面部上にあるように、該バッフル構造体が構成されたことを特徴とする請求項３５に記載のパッケージ。
【請求項４５】
前記取り出し部が、前記再シール可能な機構がシール状態で閉じられた状態で、個人的品目をゆるく保持するような大きさ及び構成にされたことを特徴とする請求項２９に記載のパッケージ。
【請求項４６】
前記取り出し部は、前記容器の幅を通る想像面によって定められる横断面形状が三角形となり、該取り出し部の前記三角形の底部が前記バッフル構造体に隣接し、該三角形の頂点が該バッフル構造体から離れて位置するように膨らむことができることを特徴とする請求項２８に記載のパッケージ。
【請求項４７】
前記バッフル構造体の前記幅が、前記容器の幅と少なくとも同じ大きさであることを特徴とする請求項２８に記載のパッケージ。
【請求項４８】
前記バッフル構造体の前記幅が、前記容器の前記幅の少なくとも１．５倍の大きさであることを特徴とする請求項４７に記載のパッケージ。
【請求項４９】
前記バッフル構造体の前記幅が、前記容器の前記幅の少なくとも２倍の大きさであり、該容器の該幅の３倍より大きくないことを特徴とする請求項４８に記載のパッケージ。
【請求項５０】
前記拭取材が加湿拭取材を含むことを特徴とする請求項３４に記載のパッケージ。
【請求項５１】
前記拭取材が加湿拭取材を含むことを特徴とする請求項３５に記載のパッケージ。
【請求項５２】
前記取り出しオリフィスが、穴、スリット、及び穴とスリットの組合せからなる群からのものであることを特徴とする請求項２８に記載のパッケージ。
【請求項５３】
前記取り出しオリフィスが、該オリフィスに隣接して位置する裂け防止端部を備えることを特徴とする請求項２８に記載のパッケージ。
【請求項５４】
前記取り出しオリフィスの長手方向の寸法が、前記拭取材の長さとほぼ平行、該拭取材の長さ方向に対しほぼ垂直、及び該拭取材の長さ方向に対しほぼ対角線状からなる群からのものとなる配置にされるように、該取り出しオリフィスが配向されたことを特徴とする請求項２８に記載のパッケージ。
【請求項５５】
前記取り出し部材が、前記容器の中央部、該容器の端部、及び該容器の端部と該容器の中央部との間からなる群からのものとなる位置に、該容器の長手方向軸に対して配置されたことを特徴とする請求項２８に記載のパッケージ。
【請求項５６】
前記再シール可能な機構が、再シール可能なトラックと、該トラックをシールし且つ開けるためのスライダーとを備えることを特徴とする請求項１に記載のパッケージ。
【請求項５７】
前記再シール可能な機構が、再シール可能なトラックと、該トラックをシールし且つ開けるためのスライダーとを備えることを特徴とする請求項２９に記載のパッケージ。
【請求項５８】
拭取材の貯蔵及びポップアップ式取り出しのためのパッケージであって、
相対向する側にあり前記容器内にキャビティを定める側部を有する非剛性の容器と、
（ａ）前記キャビティを拭取材の貯蔵部と前記貯蔵部の上にある取り出し部とに分割し、（ｂ）前記容器の相対向する側にある前記側部を調整可能に分離するための手段と、
を備え、
相対向する側にある前記側部が、分割するための前記手段に隣接し、
複数の拭取材が、前記貯蔵部内に配置されており、
（ａ）第１のモードにおいて、前記分割するための手段を通して前記容器から前記拭取材を取り出し、（ｂ）第２のモードにおいて、該容器がシール状態で閉じられることも可能にしながら、前記分割するための手段を通して前記複数の拭取材の少なくとも１枚を取り出し、後で使用するために前記少なくとも１枚の拭取材の第１の部分を前記貯蔵部内に保持し、前記少なくとも１枚の拭取材の第２の部分を前記取り出し部内に保持するための手段が設けられたことを特徴とするパッケージ。
【請求項５９】
前記加湿拭取材が、折り畳まれたスタック、折り込まれたスタック、蛇腹状のスタック、及びロールからなる群からのものとして構成されたことを特徴とする請求項２２に記載のパッケージ。
【請求項６０】
前記加湿拭取材が、折り畳まれたスタック、折り込まれたスタック、蛇腹状のスタック、及びロールからなる群からのものとして構成されたことを特徴とする請求項２３に記載のパッケージ。
【請求項６１】
前記加湿拭取材が、折り畳まれたスタック、折り込まれたスタック、蛇腹状のスタック、及びロールからなる群からのものとして構成されたことを特徴とする請求項５０に記載のパッケージ。
【請求項６２】
前記加湿拭取材が、折り畳まれたスタック、折り込まれたスタック、蛇腹状のスタック、及びロールからなる群からのものとして構成されたことを特徴とする請求項５１に記載のパッケージ。
【発明の詳細な説明】
【０００１】
（関連出願）
本出願は、２００１年１月２４日に米国特許商標庁に出願された、「拭取材のための貯蔵及び取り出しパッケージ」という名称の米国特許出願番号第０９／７６９，１８４号の部分継続出願である。米国特許出願番号第０９／７６９，１８４号の全体を引用により本明細書に組み入れる。
【０００２】
（背景技術）
拭取材は、種々の材料で作られており、これら材料は、使用される際に乾燥している場合があるし、湿っている場合もある。加湿拭取材は、種々の適当な拭取用溶液により加湿することができる。典型的には、加湿拭取材は、折り畳まれた構成又は折り畳まれていない構成のいずれかの状態で容器内に積み重ねられていた。例えば、容器内に積み重ねられる加湿拭取材の各々が、当業者には公知のｃ折り、ｚ折り又は４つ折り構成のような折り畳み構成に配置されている加湿拭取材の容器が入手可能である。時には、折り畳まれた加湿拭取材は、該加湿拭取材のスタックにおけるすぐ上及びすぐ下の加湿拭取材と共に折り込まれている。代替的な構成において、加湿拭取材は、個々の加湿拭取材を分離するミシン目を有し、ロール状に巻かれた連続するウェブ材料の形態で容器内に配置された。このような加湿拭取材は、ベビー用拭取材、手用拭取材、家庭清掃用拭取材、工業用拭取材などに用いられている。
【０００３】
上述したもののような拭取材を含む従来のパッケージは、典型的には、調理台又はおむつ交換台またはその種の他のもののような平坦な面の上に配置されるように設計されている。一般に、このような従来のパッケージは、プラスチック製の容器、桶、又は拭取材が乾き過ぎないことを保証するように該加湿拭取材にシールされた環境をもたらすパッケージを提供した。従来のパッケージの幾つかはまた、各々の拭取材を１枚ずつ取り出せるような形状にされ、これは、該パッケージを開けた後片手を用いて達成することができる。ユーザ又は介護者の一方の手は、一般に他の仕事のために同時に使用されることが必要とされるので、このような片手によって１枚ずつ取り出すことは特に望ましいことである。例えば、乳児のおむつを替えるとき、典型的には、介護者は片手を使って該乳児を抱き抱えて所望の位置に維持し、もう一方の手で該乳児をきれいにするためにベビー用拭取材を取り出そうとする。
【０００４】
しかしながら、このような従来の拭取材の容器から拭取材を取り出すことは、完全に満足なものではなかった。例えば、多くの従来の容器は、拭取材を部分的に取り出し、次の取り出しのために該拭取材の上部を取り出しやすいように所定の位置に保持し、該拭取材の上部を衛生的でシール可能な環境に維持することができない。別の例として、従来の容器は、単に取り出しステップの一部としてでありそれ以上のものではなく、拭取材の上部を衛生的でシール可能な環境に容易に保持することはできない。さらに別の例として、従来の容器は、信頼性をもって運ぶのにコンパクトでなく簡単でもなく、拭取材を同じパッケージ容器に保存して取り出すのが容易でない。
【０００５】
（発明の開示）
上述の難点及び問題点に対応して、例えば、改善された貯蔵及び取り出し性を有し、改善された衛生能力及び保湿性を有し、及び／又は改善されたコンパクトさ及び信頼性を有する拭取材のための新しいパッケージが見出された。本発明の目的及び特徴は、以下の説明に述べられており、この説明から明らかであり、かつ、本発明の実施によって分るであろう。本発明の付加的な特徴は、本発明の明細書及び特許請求の範囲に特に示されたパッケージ、並びに添付の図面から理解し、得ることができるであろう。
１つの態様において、本発明は、例えば、加湿拭取材などの拭取材のための貯蔵及び取り出しパッケージを提供するものである。このパッケージは、内部にキャビティを定める側部を有する非剛性の容器を含むことができる。幅を有する折り畳み可能で膨らませることが可能なバッフル構造体が、容器の側部内に配置され、キャビティを拭取材の貯蔵部と取り出し部とに分割する。バッフル構造体は、拭取材が通ることができ、取り出し部と連通する取り出しオリフィスを含む。
【０００６】
別の態様において、本発明はまた、拭取材の貯蔵及び取り出しパッケージも提供する。このパッケージは、上端部及び下端部を備えた側部を有する非剛性の容器を含むことができ、該側部と該上端部と該下端部とが、該容器内にキャビティを定める。このキャビティは、拭取材のための貯蔵部を含む。上端部は再シール可能な機構を含む。幅を有する非剛性のバッフル構造体は、該バッフル構造体が互いに間隔をおいて配置された容器の相対向する側にある側部の間に位置するように、再シール可能な機構と貯蔵部との間に配置される。このように、バッフル構造体は、キャビティの貯蔵部の上に該キャビティの取り出し部を定める。バッフル構造体は、拭取材が通ることができ、取り出し部と連通する取り出しオリフィスを含む。
【０００７】
他の態様において、本発明は、種々のバッフル構造体の構成及び向きを提供する。例えば、容器の側部の間の空間に部分的に渡されるものからその空間に完全に渡されるもの、容器とは別部品又は一体部品、バッフル構造体の幅、容器内の拭取材に対するバッフル構造体、及び拭取材と平行な配向がこれに含まれる。
さらに他の態様において、本発明は、シールの種類、該シールの状態、及びオリフィスの構成及び向きのような特定の特性を有する取り出しオリフィスを提供する。
【０００８】
本発明の他のパッケージと同様に、容器及びバッフル構造体を透明又は半透明にして、パッケージ内に残っている拭取材の量を示すことができる。容器及びバッフル構造体は、例えば、ポリエチレン、ポリプロピレン、ポリエステル、ポリスチレンその他のポリマーを含む種々のポリマー、コポリマー及び混合物で作ることができる。
上述の一般的な説明及び以下の詳細な説明の両方は例示的なものであり、請求された発明をさらに説明するように意図されたものであることが理解されるべきである。この明細書に組み込まれ、その一部を構成する添付の図面は、本発明のパッケージについての一層の理解を示し与えるために含ませるものである。この説明と共に、図面が本発明の種々の態様を説明するのを助ける。
【０００９】
（発明を実施するための最良の形態）
本発明の以下の詳細な説明及び添付図面を参照することにより、本発明がより完全に理解され、さらなる特徴が明らかになるであろう。これらの図面は単に代表的なものにすぎず、特許請求の範囲を制限するように意図されるものではない。図面に示されたパッケージの同じ部分には、同じ参照符号が示される。
本発明は、例えば加湿拭取材などの拭取材のための容器に関連した問題を解決することに向けられる。従来の非剛性の容器の例が、本明細書に添付された図面の図１及び図２に見られる。図１には、加湿拭取材の従来のフィルム包装容器Ａが見られる。図２は、加湿拭取材の容器Ａの断面図を示す。容器Ａは、加湿拭取材Ｅを収容し、端シールＤにより底部に沿ってシール状態で閉じられた連続包み込みフィルムＢを含む。再シール可能なラベルＣが、フィルムＢに隣接した周囲面の周りに再シール可能な接着剤によって取り付けられる。
【００１０】
図３から図３６までの全体にわたって代表的に示され、ここで図３から図１０までに説明されるように、本発明は、拭取材１２０の貯蔵及び取り出しパッケージ２０を提供するものである。パッケージ２０は、上端部５２及び下端部５４を備えた側部５０を有する非剛性の容器３０を含み、側部、上端部、及び下端部が該容器３０内にキャビティ５６を定める。ここで用いられる「非剛性」は、約２５０マイクロメートルか又はそれより薄い厚さを有する非発泡ポリマー含有フィルムか、或いは約２０００マイクロメートルか又はそれより薄い厚さを有する発泡ポリマー含有フィルムを意味する。
【００１１】
キャビティ５６は、拭取材１２０の貯蔵部５８を含む。上端部５２は、再シール可能な機構１００を含むことができる。非剛性のバッフル構造体１１０が、幅１１２を有し、該バッフル構造体１１０は、互いに間隔をおいて配置された容器の相対向する側にある側部５０の間に位置するように、再シール可能な機構１００と貯蔵部５８との間に配置される。その結果、バッフル構造体１１０は、キャビティの貯蔵部５８の上にキャビティ５６の取り出し部６０を定めることになる。「上にある」は、例えば図３に見られるように、パッケージ２０が直立状態で置かれる状態における貯蔵部５８に対する取り出し部６０の位置を定めるにすぎない。パッケージ２０が横向きであるか又は上下逆の位置（図示せず）にある場合も、本発明は、拭取材を取り出すように機能する。バッフル構造体１１０は、拭取材１２０が通ることができ、取り出し部６０と連通している取り出しオリフィス８０を含む。
【００１２】
図３、図４Ａ、図６Ａ及び図２７に見られる状態では、再シール可能な機構１００がシール状態で閉じられた位置１０２にあり、他の図では、容器内部に拭取材がある場合とない場合において、再シール可能な機構１００は開いた状態にある。機構１００は、例えば、スライダーを有するか又は有さないジッパー、再シール可能な接着剤、クリップ、又はここで所望される結果を達成する他の構造体のような、パッケージの寿命の間に該パッケージを何度も開閉することを可能にする如何なる種類の機構とすることもできる。このジッパーは、ジッパートラック１０７と該トラックに取り付けられ該トラックを容器に接合するのを可能にするフランジとを有するプラスチック製ジッパーとすることができる（例えば、図５）。ジッパーは、トラック１０７に沿って摺動し、該トラックの２つの側部を互いにシールし且つシール状態から解除するスライダー１０６を含むことができる。端クリップ１０８は、トラック１０７に係合して、スライダー１０６が該トラック１０７の端部から外れ落ちないようにする。このようなプラスチック製ジッパーの機構は、商標Ｓｌｉｄｅ−Ｒｉｔｅ（登録商標）として、イリノイ州６００４５、レークフォレスト、１９００  Ｗ．フィールドコート所在のＰａｃｔｉｖ社から商業的に入手可能である。図５から図７まで、図９、図１０及び図２８においては、下端部５４が開いた位置１０４にあるのに対して、他の図においては、該下端部５４はシール状態で閉じられている。
【００１３】
代表的な図１３、図１５及び図１６を参照すると、再シール可能な機構１００についての種々の構成が（他の図全体にわたって見られるものに加えて）示される。図１３は、包括的に、本発明と共に用いるための再シール可能な機構を示すものである。この機構は、該機構から下方に延び、所望の場合には容器３０に接合するようにフランジを形成するパッケージ材料を有する。図１５及び図１６は、取り付け位置４８（以下に定義される）において再シール可能な機構のフランジを容器に接合させるための代替的な構成を示す。
【００１４】
本発明は、拭取材を貯蔵し取り出すためのパッケージの作動と効率に寄与するものとして本発明者が発見した、種々のバッフル構造体の特性、構成及び向きを提供するものである。これらの特性、構成及び／又は向きは、再シール可能な機構１００が取り出しオリフィス８０（例えば、図４）を通して拭取材を取り出すために開いているときでさえ、より多くの拭取材１２０を外部環境から隔てた状態に保持することによって、該拭取材１２０の衛生上の性質を向上させることができる。さらに、バッフル構造体１１０は、特に再シール可能な機構１００が開いているときに（例えば、図４）、パッケージ２０の保湿性を高めることができる。さらに、バッフル構造体１１０は、（ｉ）各々の拭取材が、ユーザによる取り出しを待ち受ける間、取り出しオリフィス８０（例えば、図４及び図４Ａ）内に保持されるポップアップ方式、又は（ｉｉ）各々の拭取材が、ユーザによる取り出しを待ち受ける間、取り出しオリフィス８０を通してアクセス可能であるが、該取り出しオリフィス内に保持されていない取り出し方式のいずれにおいても、特に１枚ずつ取り出す場合における、該拭取材１２０の取り出し性を向上させることができる。さらにこの点について、バッフル構造体１１０は、よりアクセスしやすい取り出し部６０を設けることによって取り出し性を向上させることができる。すなわち、ユーザが取り出し部６０にアクセスするために再シール可能な機構を開けるとき、容器の上端部５２に形成された口は、両方の側部６７の間、少なくとも該容器の中央部４０に配置されたバッフル構造体が許容する幅だけ開くことができる。
【００１５】
バッフル構造体１１０は、折り畳み可能で膨らませることが可能な特性を有するものとすることができる。この特性は、容器３０の側部５０の間で拡げられ折り畳まれる、全体としてのバッフル構造体の能力を定めるものである。これは、例えば、バッフル構造体の非剛性と組み合わせされた側部５０の可撓性の性質、両方の側部６６の間の距離に対するバッフル構造体の寸法、これらの組み合わせ、又はバッフル構造体（すなわちバッフル構造体内の単なる取り出しオリフィス８０と対照的に）が全体として容器３０の側部５０の間で折り畳み可能で膨らませることが可能なあらゆる他の機構によるものとすることができる。例えば、図２８を参照すると、再シール可能な機構が開いた状態であるとき、バッフル構造体が容器の両方の側部６７（図５）の間の幾らかの分離を可能にする少なくとも幾らかの幅を有する限り、バッフル構造体の幅１１２を該容器の幅３６より小さくすることができる。代わりに、例えば、特に図１０のように、バッフル構造体の幅を容器の幅３６より大きくすることができる。代表的な図１０に見られるように、ここでは、バッフル構造体の幅１１２は、寸法１６６だけでなく２つ分の寸法１６８を含み、拡げられた場合のバッフル幅の合計が約２３０ｍｍとなる。さらに、幅１１２は、容器の幅と少なくとも同じ大きさであることが好ましく、該容器の幅の少なくとも１．５倍の大きさであることがより好ましく、該容器の幅の少なくとも２倍の大きさであることが最も好ましいが、該容器の幅の３倍以上大きいことは好ましくない。
【００１６】
例えば図３から図４Ａまで及び図１７を参照すると、バッフル構造体１１０の構成及び向きは、該バッフル構造体の中央領域部１１４が、キャビティの貯蔵部５８内に置かれた拭取材１２０の隣接する表面部１２２にほぼ平行に向けられるものとなる。例えば、それにより、部分的に取り出された拭取材が意になして貯蔵部５８内に戻ったとしても、下にある拭取材に緊密にアクセスすることができる。例えば、それはまた、次の取り出しを持ち受ける間、部分的に取り出された拭取材をその位置に維持するのも助ける。同様の理由のために、バッフル構造体１１０の別の構成及び向きは、該バッフル構造体の中央領域部１１４が、キャビティの貯蔵部５８内に置かれた拭取材の隣接する表面部１２２上にあるものである。
【００１７】
ここで例えば図２７も参照すると、説明されたばかりのものにおける理由と似た理由及び付加的な理由のために、例えば、再シール可能な機構１００がシール状態で閉じられ、拭取材１２０が貯蔵部５８内に配置された場合には、取り出し部分は、三角形状の横断面寸法３４を有するように膨らませることができる。図２７に最もよく例示されるように、この寸法３４は、上端部及び下端部を通り、容器の幅３６を通る想像面によって定められる。さらに、取り出し部の三角形状の断面寸法の底面３８をバッフル構造体に隣接させ、該三角形状の断面寸法の頂点３９を該バッフル構造体から離れて位置させることができる。さらに、取り出し部６０は、再シール可能な機構１００がシール状態で閉じられたときに、バッフル構造体１１０と該再シール可能な機構１００との間に個人用又は特定の品目１４０をゆるく保持するような大きさ及び形状にすることができる。個人用品目は、ローション、個人用ケア製品、又は、例えば拭取材と併せて用いることができる他の製品とすることができる。
【００１８】
例えば、図１５から図２７までを参照すると、本発明のパッケージ２０は種々の構成に形成することができる。例えば、容器３０を、第１の部品材料３０とすることができ、バッフル構造体１１０を、該第１の部品材料１３０とは別の第２の部品材料１３２で形成することができる。ここでの「別の」とは、パッケージ２０が形成される前のある時点において、第１の部品材料１３０が第２の部品材料１３２に接合されていないことを意味する。次に、図１７、図１８、図２１、図２２から図２４まで、図２６及び図２７に見られるように、形成後、２つの部品１３０及び１３２を互いに接合させる。代わりに、図１９、図２０及び図２５に見られるように、容器３０及びバッフル構造体１１０を、１つの連続的な部品材料１３４で形成することができる。図２２及び図２３に例示されるように、拭取材を、図１及び図２に見られるものに類似する予め組み立てられた容器内に配置し、それから本発明のパッケージ構成内に組み込むことができる。全体にわたり一般的に可能でもあるが、特にこの実施形態について、バッフル構造体１１０を容器３０に接合し、該容器に対して該容器３０の長手方向３２（図３）にほとんど動かないか又は全く動かないようにすることができる。
【００１９】
代表的な図２７及び図２９から図３６までを参照すると、本発明は、種々の実行可能な特性を有する取り出しオリフィス８０を提供する。取り出しオリフィス８０は、断続的な破れた部分又は単に脆弱な部分（図３０）を有するミシン目のあるパターンによって形成されるもののような、脆いシール８２とすることができる。代わりに、脆いシール８２を、最初に破られるまで流体を通すことができない材料（図３１）からなる単なる脆弱ラインとすることもできる。例えば、製造時に、シール８２をシール閉鎖し（すなわち、今説明されたように部分的に又は完全に）、ユーザが最初に開けるようにすることができる。この場合には、脆いシールは、破られたシールが内部の拭取材の完全性が損なわれた可能性を表す不正開封防止シールとして働くことができる。代わりに、図２９に示されるように、オリフィス８０を、何も取り除くことなく或いはスリットを予め形成することなく、単にオリフィス材料を切断することによって、該オリフィスの長さに沿った僅かな開口部を有するか（図２９）、又は該オリフィスの長さに沿った外見上の開口部をもたない（図３２）スリット８６とすることもできる。オリフィス８０がスリットである場合には、該オリフィスが拭取材を取り出すのに望ましい任意の長さをもつようにすることができ、例えば、該オリフィスを６０ｍｍとし、裂け防止端部８８（図２９）として働く５ｍｍの打ち抜き円を有するようにすることができる。オリフィス８０がスリットである場合には、該オリフィスはまた、裂け防止端部８８を含むこともできるので、使用中に該オリフィス８０が元の寸法及び形状をより良く維持することができる。代わりに、オリフィス８０を、穴８４（図３３から図３６まで）、又はスリットと穴の組み合わせ（図２９）、或いはこれらのいずれかの組み合わせとすることができる。代わりに、バッフル構造体１１０を、中央領域部１１４において重なる２つの別個の部品材料（図２７）で形成し、これにより重なる場所の中にオリフィス８０を形成することもできる。バッフルはまた、さらに裂けるのを防ぐように無方向性ポリマーフィルムで作ることも好ましい。
【００２０】
オリフィスの長手方向の寸法９０（図３３）が、拭取材１２０の長さ方向１２４とほぼ平行（図４、図２５及び図３６）、該拭取材の該長さ方向に対しほぼ垂直（図３３）、又は該拭取材の該長さ方向に対しほぼ対角線状（図３４）に位置させられるように、取り出しオリフィス８０を配向することができる。さらに、オリフィスを、容器の中央部４０（図４、図３３及び図３４）、該容器の端部４２（図４及び図３５）、及び該容器の端部４２と該容器の中央部４０との間（図３６）を含む位置に、該容器３０の長手方向軸３２に対して配置することができる。このようなオリフィスの特性は、ユーザが拭取材を取り出すのを、例えば、拭取材にアクセスし、拭取材を部分的に取り出された位置に保持して後の取り出しを待ち受け、再シール可能な機構が開いているときでさえ、取り出されていない拭取材の大部分が外部環境に露出するのを減少させることなどを助けるものである。
【００２１】
ここで説明の目的のために図５から図１０までを参照すると、パッケージ２０は、例えば、全体に内部に拭取材１２０がない状態で示される容器３０及びバッフル構造体１１０をまず組み立てることによって作ることができる。側部３０は、１つ又は２つの部品材料（両方の側部６６で接合された２つの部品、又は一方の側部６６で折り返され、次にもう一方の側部６６だけで接合された単一の部品）を含むことができる。バッフル構造体１１０を容器側部５０の側部６６内に接合し、及び／又は上部１１７において区域６８の一部又は全てに沿って両方の容器側部６７に接合することができる（例えば、図５から図８までを参照）。このように、バッフル構造体１１０は、容器３０の両方の側部６６及び／又は６７の間に渡される。代わりに、バッフル構造体１１０の両端部１１８を自由にし、両方の側部６７を、区域６８の一部又は全て（図７及び図８）に沿ってバッフル構造体の上部１１７に接合する場所だけ容器３０と接合することもできる。この場合には、間隙１１９が、バッフルの端部１１８と隣接する容器の側部６６との間に存在するようになる。したがって、取り出し部６０は、間隙１１９を通して（取り出しオリフィス８０が、脆いシールをもたないか又は破られた脆いシールを有する穴８４又はスリット８６である場合には、該取り出しオリフィス８０も通して）貯蔵部５８と連通することができる。代わりに、バッフル構造体１１０の上部１１７を自由にし、単にバッフルの両端部１１８において容器３０と、容器の側部６６のそれぞれに接合することもできる（示されていないが、上の説明に基づいて容易に理解されるであろう）。
【００２２】
バッフル構造体の全ての対向する上部１１７又は端部１１８が、容器の両方の側部６７及び６６にそれぞれ接合される場合には（例えば、図５及び図６）、該バッフル構造体は、該容器の両方の側部の間に渡され、取り出しオリフィス８０以外では（すなわち、該取り出しオリフィス８０が、脆いシール又は破られた脆いシールでなく、穴８０又はスリット８４である場合）キャビティの貯蔵部５８を取り出し部６０から完全に分離させることができる。さらに、図５のパッケージ２０が、破られていない脆いシール（図７）を備えたスリット８２を有する取り出しオリフィスを備える場合には、バッフル構造体１１０は、容器の両方の側部の間に渡されて、該取り出しオリフィスにおいてさえも、該キャビティの貯蔵部を該キャビティの取り出し部から完全に分離させることができる。
【００２３】
種々のパッケージ部品、例えば、バッフル構造体１１０、容器３０、側部５０、及び再シール可能な機構１００のような部品の「接合」は、これらの間の再シール可能な関係とは対立する意味で部品間に永続的な接合関係をもたらすものである限り、限定されるものではないが、接着剤その他の結合材料、熱結合又は溶接、超音波結合又は溶接、或いは他の接合方法を含む当技術分野において周知の種々の機械的かつ化学的方法によるものとすることができる。図全体にわたって見られ、図１４に定められるように、パッケージ材料４６の第１の部品又は部分は、典型的に、今説明された方法のいずれかによって、材料取り付け位置４８においてパッケージ材料の第２の部品又は部分に接合される。取り付け位置４８は、材料の一方の側の環境を該材料の異なる側の環境から分離するように、２つの対向する材料４６の層の間にシールを形成するのに適した如何なる方法とすることもできるが、全体として線形の取り付け区域を示す。図２２及び図２３を参照すると、パッケージ材料は、図の「ｘ」によって表される再シール可能な接着剤４９によってバッフル構造体１１０に接合される再シール可能なラベル１３６とすることができる。
【００２４】
容器３０は、拭取材充填プロセスを助けるように、ウィケット穴６４を備えたウィケット・フラップ６２を有することができる。図５から図９までに示されるように、容器が形成されると、拭取材を中に配置することができる（図１０）。その後、下端部５４を形成する側部が互いにシールされ、該下端部をシール状態に閉じ、再シール可能な機構１００もまた、該側部５０（図３）と接合するときにまだシールされていない場合にはシール状態で閉じられる。ここでパッケージ３０が完全に形成され、ユーザが使用するための準備ができる（図示せず）。使用においては、再シール可能な機構１００が開けられ、取り出し部６０にアクセスされる。次に、ユーザは、オリフィス８０を通して手などを入れ、拭取材１２０のスタック内の最初の拭取材をつかむ。オリフィスが脆いシール８２である場合には、ユーザが該オリフィスを通して手を入れる前に該脆いシールを破らなければならない。ユーザが拭取材をつかみ、ユーザが該拭取材を引き出すと、該拭取材は、オリフィスを通って取り出し部６０に入ることができる。ユーザが拭取材をすぐに必要としない場合には、該拭取材をオリフィス内に部分的に取り出されたままにすることができ、そこで、後に必要とされるまでバッフル構造体１１０によって所定の位置に維持することができる。拭取材を使わない場合には、拭取材の衛生及び／又は湿気レベルを最もよく維持するために再シール可能な機構をシール状態に閉じることができる。部分的に取り出された拭取材は、オリフィス内の所定の位置に、一部は取り出し部内に、一部は貯蔵部内にあり、好都合なことに後の取り出しへの準備ができている。ユーザがすぐに拭取材を使いたい場合には、取り出し部を通してパッケージから完全な拭取材が通される。以下にさらに説明される拭取材１２０のスタック（図１１）又はロール（図１２）の構成によって、取り出すための次の拭取材を、後で使用するために部分的に取り出された状態で（すなわち、ポップアップ式取り出し方式）オリフィス内に自動的に維持するか、又は必要とするときに後で最初の拭取材と同様に貯蔵部から取り出す必要がある。いずれの場合においても、所望の数の拭取材を取り出した後、既述のように、取り出し部内に部分的に取り出された拭取材を有する状態又は有さない状態で、再シール可能な機構をシール状態に閉じることができる。
【００２５】
本発明のパッケージは、種々の材料及び種々の構成で作ることができる。限定するためではなく例として、これらの幾つかについて図９及び図１０を参照する。容器３０は、約５０μｍのポリエチレンフィルムにラミネートされた約１２μｍのポリエステルフィルムで作ることができる。このポリエステルフィルムは、裏面印刷することができ、印字が２つのフィルム層の間にあるようにすることができる。代わりに、単一プライの凸版印刷フィルムを用いることもできる。単一プライのフィルムは１つ又はそれ以上のポリオレフィンの層から構成することができ、例えば、共押出し成形で形成することができる。バッフル構造体１１０は、印刷された、又は印刷されていない約５０μｍのポリエチレンフィルムとすることができる。代わりに、構造体１１０をポリプロピレンフィルムとすることができる。バッフル構造体１１０の寸法は、約３１７ｍｍ×約２００ｍｍとすることができる。次に、例えば側部６６を接合するサイドシームにおいて、バッフル構造体を半分に折り畳み、容器の側部と接合させることができる。バッフルの上部１１７もまた容器の相対向する側にある側部６７と接合させる場合には、再シール可能な機構１００の上部の約１５ｍｍ下に該上部を接合させることができる。バッフル構造体１１０は、約２３０ｍｍの合計バッフル幅に対して、各々約６０ｍｍの２倍の１６８及び約１１０ｍｍの１６６の取付け寸法を有するものとすることができ、そこでは容器の幅１６４を約１１０ｍｍとすることができる。図９を参照すると、内部に拭取材を持たない平坦にされたパッケージ２０は、以下の寸法、すなわち、約２７３ｍｍの内部高さの１５０、約４２ｍｍのウィケットフラップの１５２、約１１５ｍｍの再シール可能な機構の上部からバッフル構造体の底部までの１５４、約１００ｍｍの該バッフル構造体の上部取付け位置から該バッフル構造体の底部までにの１５６、約３０５ｍｍの内部幅の１５８、２つ接合された材料層についての約６ｍｍの溶接厚さの１６０の寸法を有する。
【００２６】
例えば加湿拭取材などの拭取材を、便利で確実な１枚ずつの取り出しをもたらし、加湿拭取材が過度に乾燥しないようにするのを助ける何らかの方法でパッケージ２０内に配置することができる。例えば、加湿拭取材（図１１）は、積み重ねられた構成に配置された複数の個々のシートとしてパッケージ２０内に配置して加湿拭取材のスタックを形成することができ、シートは、個別に折り畳むか、又は個別に折り畳んでいないものとすることができる。加湿拭取材を、当業者には周知のｃ折り又はｚ折り構成に折り畳み、互いの上部に積み重ねて該加湿拭取材のスタックを形成した個別の加湿拭取材とすることができる。代わりに、加湿拭取材がパッケージ２０において積み重ねられた構成に配置されることになる場合には、該積み重ねられた構成における連続する拭取材の前端縁及び後端縁が重なるように、個々の加湿拭取材を折り込むことができる。このような構成において、ユーザが先頭の拭取材を取り出したときに、後続の拭取材の前端縁は、該先頭の拭取材の後端縁によってスタックから起こされる。当業者に周知の手段によって、このような取り出しを容易にするように、拭取材を折り込むことができる。
このような公知の折り込み手段の一例が、発明者Ｋａｔｓｕ  Ｙｏｎｅｙａｍａに１９９６年３月１２日に付与された米国特許第５，４９７，９０３号に記載されており、その開示の全体を引用によりここに組み入れる。図３７及び図３８は、本発明に使用するための拭取材の折り込みスタックの断面図を典型的に示すものである。
【００２７】
代わりに、相互連結された加湿拭取材の連続するウェブの状態で、拭取材をパッケージ２０内に配置することができ、ウェブは、蛇腹状に積み重ねられた構成（図３９）に折り畳むか、又はロール（図１２）とすることができる。個々の加湿拭取材を、ミシン目の線のような脆い線に沿って互いに連結させ、先頭の加湿拭取材が取り出された後に、ユーザがつかめるように後続の拭取材が所定の位置にあるようにすることができる。例えば、この加湿拭取材は、ウェブの幅を横切って延びる一連の脆い線を有する連続するウェブ材料によって形成することができる。連続する脆い線の間のウェブ材料の部分が、個々の加湿拭取材を形成する。この脆い線は、ウェブ材料におけるミシン目、凹み目又は切込みのような当業者には周知の手段によって形成することができる。例えば、ウェブ材料をダイカッターロールとアンビルロールとの間に通すことによって、該ウェブ材料内に脆い線又はミシン目の線を形成することができる。脆い線をウェブ材料内に組み込んだ後、パッケージ２０の貯蔵部５８内に挿入しやすいように積み重ねられた構成にウェブを配置することができる。
【００２８】
本発明のパッケージ２０は、所望の包装及び最終用途によって、あらゆる適当な数の個々の加湿拭取材を含むことができる。例えば、パッケージ２０は、少なくとも約５枚の加湿拭取材、望ましくは約１６枚から約３２０枚の個別の加湿拭取材、より望ましくは約３２枚から約１６０枚の加湿拭取材を有する加湿拭取材のスタックを含むように構成することができる。拭取材１２０のスタックの寸法及び形状は、パッケージ２０の寸法及び形状によって決まり、逆もまた同様である。例えば、拭取材の組み立てられたスタックの長さ１２４を約１９０ｍｍとし、約９０ｍｍの高さ及び約１１０ｍｍの幅を有するものとすることができる。
各々の加湿拭取材の形状は、一般に矩形であり、前端縁及び後端縁と呼ぶことができる１対の対向する側縁と１対の対向する端縁とを定める。一般に、各々の加湿拭取材の前端縁は、ユーザがつかんで該加湿拭取材を該パッケージ２０から取り出すのが容易になるように、パッケージ２０内に配置される。各々の加湿拭取材は、畳まれていない状態での幅と長さとを定める。加湿拭取材は、畳まれていない状態であらゆる適切な幅及び長さを有することができる。例えば、加湿拭取材は、約２．０から約８０．０センチメートルまで、望ましくは約１０．０から約２６．０センチメートルまでの畳まれていない長さと、約２．０から約８０．０センチメートルまで、望ましくは約１０．０から約４５．０センチメートルまでの畳まれていない幅を有することができる。
【００２９】
本発明の加湿拭取材に適した材料は、当業者にはよく知られている。加湿拭取材は、メルトブロー、コフォーム、空気堆積、ボンデッドカーデッドウェブ材料、水圧交絡された材料、高い湿潤強度のティッシュなどを含む湿った拭取材として使用するのに適したあらゆる材料で作ることができ、合成繊維又は天然繊維、或いはその組み合わせを含むことができる。加湿拭取材は、１平方メートル当たり約２５から約１２０グラム、望ましくは１平方メートル当たり約４０から約９０グラムまでの坪量を有するものとすることができる。
特定の態様において、加湿拭取材は、１平方メートル当たり約６０から約１００グラムまで、望ましくは１平方メートル当たり約８０から約８５グラムまでの坪量を有するポリマーのマイクロファイバー及びセルロース繊維のコフォーム下地材を含むことができる。このようなコフォーム下地材は、１９７８年７月１１日にＡｎｄｅｒｓｏｎ他に付与された米国特許第４，１００，３２４号にほぼ説明されるように製造されており、この米国特許は、引用によりここに組み入れる。より具体的には、このようなコフォームの下地材を、エクスプレスメールラベルＥＬ６３７１３９２５６ＵＳ及び代理人番号１４４３．００１ＵＳ１のもとに、発明者Ｓｃｏｔｔ  Ｒ．Ｌａｎｇｅ他の「布のような感触を有する複合材料」という名称で、２０００年１２月２９日に出願された米国特許出願番号第０９／７５１３２９号に説明されるように製造することができ、この出願は、引用によりここに組み入れる。典型的には、このようなコフォーム下地材は、例えばポリプロピレン・マイクロファイバーのような熱可塑性ポリマー・メルトブロー・マイクロファイバーと、例えば木材パルプ繊維のようなセルロース繊維とのガス形成されたマトリクスを含む。コフォーム下地材におけるポリマー・マイクロファイバー及びセルロース繊維の相対的な割合は、加湿拭取材の所望の特徴によって広い範囲にわたって変えることができる。例えば、コフォーム下地材は、加湿拭取材を形成するために用いられるコフォーム下地材の乾燥重量に基づいて、ポリマー・マイクロファイバーの約２０から約１００重量パーセントまで、望ましくは約２０から約６０重量パーセントまで、より望ましくは約３０から約４０重量パーセントまでを含むことができる。
【００３０】
本発明の異なる態様の拭取材は、該拭取材内に吸収されて該拭取材を「加湿拭取材」にすることができる如何なる溶液とすることもできる液体を含む。加湿拭取材内に含まれる液体は、所望の拭い取り特性をもたらす如何なる適切な成分を含むこともできる。例えば、この成分は、水、皮膚軟化剤、界面活性剤、防腐剤、キレート剤、ｐＨ緩衝剤、芳香剤又はその組合わせを含むことができる。液体はまた、ローション、軟膏及び／又は薬物を含むこともできる。
各々の加湿拭取材内に含まれる液体の量は、該加湿拭取材を生成するために用いられる材料の種類、用いられる液体の種類、該加湿拭取材のスタックを保存するために用いられる容器の種類、及び該加湿拭取材の所望の最終用途によって変えることができる。一般に、各々の加湿拭取材は、改善された拭い取りのための該拭取材の乾燥重量に基づいて約１５０から約６００重量パーセントまで、望ましくは約２００から約４００重量パーセントまでの液体を含むことができる。加湿拭取材が、該加湿拭取材の乾燥重量に基づいて、約３０から約４０重量パーセントまでのポリマー・マイクロファイバーを含むコフォーム材料で作られる特定の態様においては、該加湿拭取材内に含まれる液体の量は、該加湿拭取材の乾燥重量に基づいて約２５０から約３５０重量パーセントまで、望ましくは約３３０重量パーセントである。液体の量が上で示された範囲よりも少ない場合には、加湿拭取材が乾燥しすぎて、適切に機能しないことがある。液体の量が上で示された範囲よりも多い場合には、加湿拭取材は、液体が余分に染み込みこんで水浸しとなり、液体が容器の下部に溜まることになある。
【００３１】
本発明のパッケージ２０の容器３０及びバッフル構造体１１０のいずれか一方を、透明、半透明、又は不透明とすることができる。透明又は半透明の容器又はバッフル構造体のいずれかに関連した特定の特徴がある。例えば、容器３０が透明である場合には、パッケージ２０のユーザは、該パッケージ内に残っている加湿拭取材の量を容易に判断することができる。つまり、ユーザは、パッケージの再シール可能な機構１００を開ける必要なく、該パッケージ２０内に残っている加湿拭取材の量を容易に判断することができる。
容器３０又はバッフル構造体１１０のいずれか一方が着色されている場合には、美的で機能的な特徴もまた得られる。例えば、異なるように着色された容器を用いて、異なる種類の加湿拭取材製品の包装を識別することができる。同様に、容器３０又はバッフル構造体１１０上にグラフィック印刷された場合には、美的で機能的な特徴を達成することができる。美的利点に加えて、このグラフィックスを用いて、種々の加湿拭取材製品の種類を識別することができる。
【００３２】
したがって、本発明の異なる態様及び特徴は、拭取材の従来の容器と比較すると、改善された同じ容器貯蔵量と取り出し性をもたらす拭取材のための容器を提供することができる。一般に、介護者は、おむつを付けるプロセス中に片手が自由になるだけなので、このような容器はベビー用拭取材を取り出すのに特に有用である。したがって、本発明の例えば加湿拭取材などの拭取材のパッケージは、ユーザ又は介護者が片手で確実かつ容易に開けられるものであり、利便性及び個人衛生が改善される。さらに、本発明のパッケージは、開いた状態を自動的に維持することができ、良好で容易な拭取材の取り出しをもたらすことができる。
本発明は、特定の態様に関して詳細に説明されたが、上記の理解に達するとき、当業者であれば、これらの態様の代替物、変形物及び均等物を容易に考え得ることが理解されるであろう。したがって、本発明の範囲は、添付の特許請求の範囲のものとして評価されるべきである。
【図面の簡単な説明】
【図１】
再シール可能なラベルを有する、加湿拭取材の従来のフィルム包装容器の斜視図を代表的に示す。
【図２】
線２−２に沿って取った、図１に示された加湿拭取材の容器の断面図を代表的に示す。
【図３】
拭取材及び取り出しオリフィスがパッケージ内に想像線で示された、拭取材を取り出す前で閉鎖状態にある本発明による拭取材のパッケージの一例の斜視図を代表的に示す。
【図４】
図３に示された拭取材のパッケージの斜視図を、拭取材が部分的に取り出され、開いた状態で代表的に示す。
【図４Ａ】
図４に示された拭取材のパッケージの斜視図を、拭取材が部分的に取り出され、閉鎖状態で代表的に示す。
【図５】
代替的な取り出しオリフィスを備え、組み立てが完了する前に下端部が開き、拭取材がパッケージ内に配置された、図３に示されたものに類似した拭取材のパッケージの斜視平面図を代表的に示す。
【図６】
線６−６に沿って取った、図５に示された拭取材のパッケージの断面図を代表的に示す。
【図６Ａ】
線６−６に沿って取ったものだが、ここでは再シール可能な機構がシール状態で閉じられた、図５に示された拭取材のパッケージの断面図を代表的に示す。
【図７】
代替的なバッフル構造体を有し、組み立てを完了する前であり、拭取材がパッケージ内に配置された、図３に示されたものに類似した拭取材のパッケージの斜視平面図を代表的に示す。
【図８】
線８−８に沿って取った、図７に示された拭取材のパッケージの断面図を代表的に示す。
【図９】
図５に示された拭取材のパッケージの正面平面図を代表的に示す。
【図１０】
如何なる拭取材も取り出す前であり、組み立てが完了する前の開いた状態にあり、パッケージ内に拭取材を有する、本発明による拭取材のパッケージの別の例の断面図を代表的に示す。
【図１１】
本発明に用いるための拭取材のスタックの断面図を代表的に示す。
【図１２】
本発明に用いるための拭取材のロールの断面図を代表的に示す。
【図１３】
本発明に用いるための再シール可能な機構の一例の部分断面図を代表的に示す。
【図１４】
本発明に用いるためのフィルム層の間のシールの一例の部分断面図を代表的に示す。
【図１５】
本発明に用いるための代替的な再シール可能な機構の構成の一例の部分断面図を代表的に示す。
【図１６】
本発明に用いるための別の代替的な再シール可能な機構の構成の一例の部分断面図を代表的に示す。
【図１７】
拭取材が完全に組み立てられたパッケージ内に配置され、如何なる拭取材も取り出す前で開いた状態にある、本発明による拭取材のパッケージの幾つかの付加的な例の断面図を代表的に示す。
【図１８】
拭取材が完全に組み立てられたパッケージ内に配置され、如何なる拭取材も取り出す前で開いた状態にある、本発明による拭取材のパッケージの幾つかの付加的な例の断面図を代表的に示す。
【図１９】
拭取材が完全に組み立てられたパッケージ内に配置され、如何なる拭取材も取り出す前で開いた状態にある、本発明による拭取材のパッケージの幾つかの付加的な例の断面図を代表的に示す。
【図２０】
拭取材が完全に組み立てられたパッケージ内に配置され、如何なる拭取材も取り出す前で開いた状態にある、本発明による拭取材のパッケージの幾つかの付加的な例の断面図を代表的に示す。
【図２１】
拭取材が完全に組み立てられたパッケージ内に配置され、如何なる拭取材も取り出す前で開いた状態にある、本発明による拭取材のパッケージの幾つかの付加的な例の断面図を代表的に示す。
【図２２】
拭取材が完全に組み立てられたパッケージ内に配置され、如何なる拭取材も取り出す前で開いた状態にある、本発明による拭取材のパッケージの幾つかの付加的な例の断面図を代表的に示す。
【図２３】
拭取材が完全に組み立てられたパッケージ内に配置され、如何なる拭取材も取り出す前で開いた状態にある、本発明による拭取材のパッケージの幾つかの付加的な例の断面図を代表的に示す。
【図２４】
拭取材が完全に組み立てられたパッケージ内に配置され、如何なる拭取材も取り出す前で開いた状態にある、本発明による拭取材のパッケージの幾つかの付加的な例の断面図を代表的に示す。
【図２５】
拭取材が完全に組み立てられたパッケージ内に配置され、如何なる拭取材も取り出す前で閉じた状態にある、本発明による拭取材のパッケージの別の例の断面図を代表的に示す。
【図２６】
拭取材が完全に組み立てられたパッケージ内に配置され、如何なる拭取材も取り出す前で開いた状態にある、本発明による拭取材のパッケージの別の例の断面図を代表的に示す。
【図２７】
拭取材が完全に組み立てられたパッケージ内に配置され、個人的又は特定品目が取り出し部内にゆるく保持された、如何なる拭取材も取り出す前で閉じた状態にある、本発明による拭取材のパッケージの別の例の断面図を代表的に示す。
【図２８】
拭取材が部分的に組み立てられたパッケージ内に配置され、如何なる拭取材も取り出す前で開いた状態にある、本発明による拭取材のパッケージの別の例の断面図を代表的に示す。
【図２９】
本発明に用いるための取り出しオリフィスの構成の付加的な例の平面図を代表的に示す。
【図３０】
本発明に用いるための取り出しオリフィスの構成の付加的な例の平面図を代表的に示す。
【図３１】
本発明に用いるための取り出しオリフィスの構成の付加的な例の平面図を代表的に示す。
【図３２】
本発明に用いるための取り出しオリフィスの構成の付加的な例の平面図を代表的に示す。
【図３３】
本発明に用いるための取り出しオリフィスの向きの付加的な例の平面図を代表的に示す。
【図３４】
本発明に用いるための取り出しオリフィスの向きの付加的な例の平面図を代表的に示す。
【図３５】
本発明に用いるための取り出しオリフィスの向きの付加的な例の平面図を代表的に示す。
【図３６】
本発明に用いるための取り出しオリフィスの向きの付加的な例の平面図を代表的に示す。
【図３７】
本発明に用いるための、折り込まれた拭取材のスタックの断面図を代表的に示す。
【図３８】
本発明に用いるための、別の折り込まれた拭取材のスタックの断面図を代表的に示す。
【図３９】
本発明に用いるための、拭取材の蛇腹状のスタックの断面図を代表的に示す。
【図１】
2004517785.tif 000003
【図２】
2004517785.tif 000004
【国際公開パンフレット】
2004517785.tif 000005
2004517785.tif 000006
2004517785.tif 000007
2004517785.tif 000008
2004517785.tif 000009
2004517785.tif 000010
2004517785.tif 000011
2004517785.tif 000012
2004517785.tif 000013
2004517785.tif 000014
2004517785.tif 000015
2004517785.tif 000016
2004517785.tif 000017
2004517785.tif 000018
2004517785.tif 000019
2004517785.tif 000020
2004517785.tif 000021
2004517785.tif 000022
2004517785.tif 000023
2004517785.tif 000024
2004517785.tif 000025
2004517785.tif 000026
2004517785.tif 000027
2004517785.tif 000028
2004517785.tif 000029
2004517785.tif 000030
2004517785.tif 000031
2004517785.tif 000032
2004517785.tif 000033
2004517785.tif 000034
2004517785.tif 000035
2004517785.tif 000036
2004517785.tif 000037
2004517785.tif 000038
2004517785.tif 000039
2004517785.tif 000040
2004517785.tif 000041
2004517785.tif 000042
2004517785.tif 000043
2004517785.tif 000044
2004517785.tif 000045
2004517785.tif 000046
2004517785.tif 000047
2004517785.tif 000048
2004517785.tif 000049
2004517785.tif 000050
2004517785.tif 000051
2004517785.tif 000052
2004517785.tif 000053
2004517785.tif 000054
2004517785.tif 000055
2004517785.tif 000056
2004517785.tif 000057
2004517785.tif 000058
【国際公開パンフレット（コレクトバージョン）】
2004517785.tif 000059
2004517785.tif 000060
【国際調査報告】
2004517785.tif 000061
2004517785.tif 000062
2004517785.tif 000063